(57)【要約】【課題】梁部材を太くしなくても強度を充分確保することが出来、しかも横風の吹き込みに対しても風をスムーズに逃がすことが出来る屋根構造を提供する。【解決手段】下方に窪む第１湾曲部とこの第１湾曲部の長さ方向一端に連続して上方に窪む第２湾曲部とから構成される梁部材と、梁部材間に架設される桁部材とを備え、これら梁部材及び桁部材により構成される屋根面に遮光ネットから構成される屋根材を敷設し、梁部材の長さ方向一端部を、設置面に立設した支柱の上端部に接続するようにした。【選択図】  図１
2004339818.tif 000002
【特許請求の範囲】
【請求項１】
下方に窪む第１湾曲部とこの第１湾曲部の長さ方向一端に連続して上方に窪む第２湾曲部とから構成される少なくとも一対の梁部材と、梁部材間に架設される桁部材とを備え、これら貼部材及び桁部材により構成される屋根面に屋根材を敷設していることを特徴とする屋根構造。
【請求項２】
梁部材の少なくとも長さ方向一端部を、設置面に立設した支柱の上端部に接続していることを特徴とする請求項１に記載の屋根構造。
【請求項３】
梁部材が軽金属製パイプ材料から成ることを特徴とする請求項１または２に記載の屋根構造。
【発明の詳細な説明】
【０００１】
【発明の属する技術分野】
本発明は、主として地面上に立設した支柱の上端部に取り付けられて、日除けの屋根やカーポートの屋根として用いられる屋根構造に関する。
【０００２】
【従来の技術】
従来の例えばカーポートの屋根構造にあっては、図６または図７に示すように、前後一対の梁部材Ａ・Ｂとこれら前後梁部材Ａ・Ｂを連結する桁部材Ｃが備えられ、この梁部材Ａ・Ｂと桁部材Ｃとで構成される屋根面には例えば合成樹脂製のパネルなどから構成される屋根材Ｄが敷設されてなり、梁部材Ａ・Ｂの長さ方向一端が、地面に立設した支柱Ｅの上端部に接続されている。（特許文献１参照）
【０００３】
【特許文献１】
特開２００３−２６２８５０号
【０００４】
【発明が解決しようとする課題】
ところで、従来の例えばカーポートの屋根構造にあっては、図６に示すように、梁部材Ａ・Ｂが直接状に延びているのが一般的であるが、直線状の梁部材Ａ・Ｂは比較的強度が弱くて、特に図６に示すように、梁部材Ａ・Ｂの長さ方向一端側のみが支柱Ｅに支持されている所謂片持ち状態の屋根では、その強度を高めるために梁部材Ａ・Ｂを太くするか、あるいは補強材などを架設する必要がある。
【０００５】
そのため重量がアップしたり、部品点数が増大するなどして、組立性が悪くなったり、部品管理に手間を要するなどの問題がある。
【０００６】
また例えば図７に示すように円弧状に曲がった梁部材Ａ・Ｂを用いて、屋根面を円弧状とした屋根構造も見受けられるが、図７に示す構造のものでは、図６に示す直線状のものに比べて、上方から加わる荷重に対しては強度が高まるにしても、下方から加わる荷重に対しては比較的弱いし、しかも図７に示した単に上方に窪むように湾曲させただけのものでは、下方から吹き込む風が逃げ難くい。
【０００７】
そのため、図７に示す屋根構造のものでは、例えば強い横風が屋根の下面側に吹き込むのに対処すべく、やはり梁部材Ａ・Ｂを太くしたり、補強材などを架設せざるを得ないものである。
【０００８】
本発明は以上の実情に鑑みて開発されてもので、目的とするところは、梁部材を太くしなくても強度を充分確保することが出来、しかも横風の吹き込みに対しても風をスムーズに逃がすことが出来る屋根構造を提供することにある。
【０００９】
【課題を解決するための手段】
前記した目的を達成するために、請求項１に記載の発明は、下方に窪む第１湾曲部とこの第１湾曲部の長さ方向一端に連続して上方に窪む第２湾曲部とから構成される少なくとも一対の梁部材と、梁部材間に架設される桁部材とを備え、これら貼部材及び桁部材により構成される屋根面に屋根材を敷設していることを特徴とするものである。
【００１０】
請求項２に記載の発明は、請求項１に記載の屋根構造において、梁部材の少なくとも長さ方向一端部を、設置面に立設した支柱の上端部に接続していることを特徴とするものである。
【００１１】
請求項３に記載の発明は、請求項１または２に記載の屋根構造において、梁部材が軽金属製パイプ材料から成ることを特徴とするものである。
【００１２】
【発明の実施の形態】
以下、本発明の実施形態について図面を参照しながら説明する。
【００１３】
図１は、本発明の屋根構造を適用した日除けを示したものである。
【００１４】
この日除け１は、地面に所定間隔開けて立設した支柱２と、支柱の上端部間を連結する連結杆２０と、この支柱２の上端部に取り付けられる屋根３から構成されている。
【００１５】
屋根３は、３本の梁部材４と、相対向する梁部材４間に架設された複数本の桁部材５と、これら梁部材４と桁部材５とで構成される屋根面３０に敷設する屋根材６とから構成されている。
【００１６】
支柱２、連結杆２０、及び桁部材５は、アルミニウム製の円筒状パイプから構成され、梁部材４はアルミニウム製の角筒パイプから構成されているのであって、実施形態では、支柱２として直径９０ｍｍのアルミニウム製パイプが用いられ、連結杆２０として直径６０ｍｍのアルミニウム製パイプが用いられ、桁部材５として直径４０ｍｍのアルミニウム製パイプが用いられ、また梁部材４として一辺４０ｍｍの正方形としたアルミニウム製角筒パイプが用いられている。
【００１７】
梁部材４は、図１にも示すように、下方にゆるやかに窪む第１湾曲部４１と、この第１湾曲部４１の長さ方向一端に連続して且つ第１湾曲部４１とは逆の上方にゆるやかに窪む第２湾曲部４２とが備えられているのであって、この梁部材４は、第１湾曲部４１の一端が支柱２の上端部に接続され、第２湾曲部４２の遊端４２ａが第１湾曲部４２と支柱２との接続位置よりも高くなるように、支柱２に対して取り付けられている。
【００１８】
また図に示す実施形態では、第１湾曲部４１及び第２湾曲部４２の曲率半径を３０００ｍｍとしている。
【００１９】
斯くして以上の梁部材４２及び桁部材５により形成される屋根面３０は、側方からみて略Ｓ字状にゆるやかに波打つように形成されているのであって、実施形態では、この屋根面３０に敷設する屋根材６として、高密度ポリエチレンから形成された紫外線のカット効率に優れた遮光ネットを用い、図４に概略的示すようにこの屋根材６の周囲に設けた結束用紐材６１を梁部材４などに結び止めることで、屋根材６を屋根面３０に沿って敷設している。
【００２０】
尚、屋根材６として前述の遮光ネットの他に例えばテント布地や合成樹脂製シート、あるいは合成樹脂製パネルを用いてもよい。
【００２１】
以上の構造の日除けにあっては、梁部材４が側面から見て略Ｓ字状に屈曲していることから、例えば図５に示す従来の直線状の梁部材に比べて、強度が格段に高く、従って、所定の強度を確保する場合、実施形態の梁部材４にあってはそれだけ断面積を小さくして、重量を軽くすることが出来、これに伴い、施工現場への搬送や施工現場での組立作業性が良好となる。
【００２２】
また前述の実施形態の日除けにあっては、横風により屋根面３０の下方に風が吹き込んだ場合にあっても略Ｓ字状にウエーブする屋根面３０の下面に沿ってその風がスムーズに流れ易く、図７に示す従来の湾曲状の梁部材を用いたものに比較して、風の通りが良いのであって、従って図７に示す風の通りの悪い屋根構造のものに比較して、梁部材４の強度を必要以上に高める必要がない。
【００２３】
以上の実施形態では、屋根３を片持ち状としたが、第２湾曲部４２の遊端をも別途地面に立設してなる支柱２の上端部に接続して、屋根３を両持ち状としてもよい。
【００２４】
また以上の実施形態では、梁部材４が、１つの第１湾曲部４１と、この第１湾曲部４１の長さ方向一端に連続する１つの第２湾曲部４２とから構成されているが、これに限定されるものではなく、例えば図５に概略的に示すように第２湾曲部４２の長さ方向両端に第１湾曲部４１を備えた梁部材４０を用い、この梁部材４０の両端をそれぞれ支柱２の上端部に接続するようにしてもよい。
【００２５】
また以上の実施形態では、第１湾曲部４１及び第２湾曲部４２の曲率半径を３０００ｍｍとしたが、これに限定されるものではない。
【００２６】
また以上の実施形態では、梁部材４をアルミニウム製パイプから形成したが、これに限定されるものではなく、例えば合成樹脂材料から形成してもよい。
【００２７】
また以上の実施形態では、梁部材４を断面正方形とした角筒のパイプから形成したが、これに限定されるものではなく、例えば断面円形の丸筒状のパイプから形成してもよいし、あるいは中実の棒状部材から形成してもよい。
【００２８】
また以上の実施形態では、日除けの屋根に本発明を適用したが、これに限定されるものではなく、例えばカーポートの屋根や建屋のひさしに本発明を適用してもよい。
【００２９】
【発明の効果】
以上説明したように、請求項１に記載の発明によれば、下方に窪む第１湾曲部とこの第１湾曲部の長さ方向一端に連続して上方に窪む第２湾曲部とから構成される少なくとも一対の梁部材と、梁部材間に架設される桁部材とを備え、これら貼部材及び桁部材により構成される屋根面に屋根材を敷設したことにより、屋根の上方から下方に向けて加わる荷重のみならず屋根の下方から上方に向けて加わる荷重に対しても強く、従って梁部材を太くしなくても強度を充分確保することが出来、しかも屋根面の下方への風の吹き込みに対しても風をスムーズに逃がすことが出来て、従来のように梁部材の強度を必要以上に高める必要がない。
【００３０】
請求項２に記載の発明によれば、請求項１に記載の屋根構造において、梁部材の少なくとも長さ方向一端部を、設置面に立設した支柱の上端部に接続したことにより、請求項１に記載の発明の効果に加え、組立性に優れたものとすることが出来る。
【００３１】
請求項３に記載の発明によれば、請求項１または２に記載の屋根構造において、梁部材を軽金属製パイプ材料から形成したことにより、請求項１または２に記載の発明の効果に加え、より一層、軽量で且つ強度の優れた屋根構造とすることが出来る。
【図面の簡単な説明】
【図１】本発明にかかる屋根構造を採用した日除けの一実施形態を示す正面図。
【図２】同、側面図。
【図３】同、要部の拡大断面図。
【図４】同、屋根材を省略して示す斜視図。
【図５】同、屋根材を敷設した状態での斜視図。
【図６】従来の屋根構造の一例を示す概略斜視図。
【図７】従来の屋根構造の一例を示す概略斜視図。
【符号の説明】
１      日除け
２      支柱
３      屋根
３０    屋根面
４      梁部材
４１    第１湾曲部
４２    第２湾曲部
５      桁部材
６      屋根材
【図１】
2004339818.tif 000003
【図２】
2004339818.tif 000004
【図３】
2004339818.tif 000005
【図４】
2004339818.tif 000006
【図５】
2004339818.tif 000007
【図６】
2004339818.tif 000008
【図７】
2004339818.tif 000009